(57)【要約】【課題】灌流液放出のための孔部から放出された灌流液が適切に横方向に広がり、灌流液放出のための孔部以外からの灌流液の放出が抑制されること等により、適切に広い領域に灌流液が供給できる白内障手術用の手術用具を提供する。【解決手段】白内障手術用のＵＳハンドピース１０（あるいはＩ／Ａハンドピース１１）に取り付けられるスリーブ１の灌流液供給用の孔部５の内壁面にスリット５０を形成する。灌流液が供給されると水圧でスリット５０が開口して、それに灌流液が当接して、灌流液の進行方向が、スリーブ１の径方向により近い方向に変更される。【選択図】図６
2015033521.tif 000002
【特許請求の範囲】
【請求項１】
眼科の手術用器具に備えられた少なくとも灌流液の吸引の機能を有する棒状部の側面を、その側面との間に隙間を有するようにして覆う筒形状の筒状部と、
その筒状部における前記棒状部の先端側に形成されて、前記隙間を通じて前記棒状部の根本側から供給された灌流液を流出するための孔部と、
その孔部から流出した灌流液の流出方向が前記棒状部の径方向に近づくように前記筒状部に形成された、スリットあるいは凸部からなる方向変更部と、
を備えたことを特徴とする手術用具。
【請求項２】
前記方向変更部は、前記孔部の内壁面に、その孔部の開口面に沿った方向に形成されたスリットを含む請求項１に記載の手術用具。
【請求項３】
前記方向変更部は、前記筒状部の内壁面に、その筒状部の周方向に沿った方向に形成されたスリットを含む請求項１又は２に記載の手術用具。
【請求項４】
前記方向変更部は、前記孔部の内壁面に形成された凸部を含む請求項１ないし３のいずれか１項に記載の手術用具。
【請求項５】
前記方向変更部は、前記筒状部の外壁面に形成された凸部を含む請求項１ないし４のいずれか１項に記載の手術用具。
【請求項６】
前記方向変更部は、前記筒状部の内壁面に形成された凸部を含む請求項１ないし５のいずれか１項に記載の手術用具。
【発明の詳細な説明】
【技術分野】
【０００１】
本発明は手術用具に関する。
【背景技術】
【０００２】
眼の白内障に対する治療として、患者の白濁した水晶体の嚢内組織を摘出した後に、眼内レンズを嚢内に挿入する手術が広く行われている。白濁した水晶体の嚢内組織の除去のための代表的な手法として、超音波乳化吸引術と呼ばれる手法がある。
【０００３】
この手法では、超音波乳化吸引装置に接続されたハンドピースの先端部材が超音波により振動して、水晶体の嚢内を乳化（液化、ゲル化、破砕）し、乳化された組織をハンドピースから装置まで吸引する。具体的に従来より超音波乳化吸引術用のハンドピースとしては、ＵＳハンドピース（UltraSonic Handpiece、超音波ハンドピース）とＩ／Ａハンドピース（Irrigation/Aspiration Handpiece、灌流／吸引ハンドピース）との２つが用いられる。
【０００４】
ＵＳハンドピースは、超音波の作用で振動する乳化用の先端部材（チップ）を備えて、その先端部材によって水晶体核など水晶体の大部分を乳化（破砕）する装備とともに、乳化された部分を吸引する装備を備える。Ｉ／Ａハンドピースは、超音波の作用で振動する装備は備えず、ＵＳハンドピースによって大部分が乳化された状態で、例えば水晶体の後嚢の皮質など、嚢内に残った組織を吸引する装備を備える。ＵＳハンドピース、Ｉ／Ａハンドピースはともに施術部位に灌流液を供給する機能も有する。従来の超音波乳化吸引術において、施術者はまずＵＳハンドピースによって水晶体内の大部分を乳化、吸引した後に、Ｉ／Ａハンドピースに交換して嚢内の残りの組織を吸引して嚢内の（ほぼ）全てを除去していた。
【０００５】
例えば下記特許文献１には、超音波乳化吸引装置のハンドピースにおいて、吸引する物質でチューブが塞がれても作動可能なハンドピース用先端部材が提案されている。
【先行技術文献】
【特許文献】
【０００６】
【特許文献１】特開２００５−２３７９６１号公報
【発明の概要】
【発明が解決しようとする課題】
【０００７】
ＵＳハンドピースおよびＩ／Ａハンドピースは、上述のとおり施術部位に灌流液を供給する。灌流液供給の望ましい様子の例が図１９に示されている。同図のとおり、灌流液はハンドピース先端の側面に備えられた孔部５からおもに横方向に放出されて、施術部位における広い領域に灌流液を供給することによって、広い領域を乳化してから、多くの破砕された水晶体などとともにハンドピース先端から回収されることが望ましい。
【０００８】
しかし本発明者の知見によれば、実際の灌流液供給の様子は図２０のようになる。すなわち、灌流液はハンドピースに取り付けられたスリーブに形成された孔部や、本来、灌流液の出口ではないチップとスリーブの間の隙間から縦方向に放出されてしまい横方向には広がらず、その後やはり縦方向に吸引されてハンドピースに回収されてしまう（ハンドピースの構造に関しては後述）。したがって現状では、効率よく広い領域に灌流液を供給することはできていない。この点を改良することにより、より効率的な白内障手術が可能になると思われる。
【０００９】
そこで本発明が解決しようとする課題は、上記に鑑み、灌流液放出のための孔部から放出された灌流液が適切に横方向に広がり、灌流液放出のための孔部以外からの灌流液の放出が抑制されること等により、適切に広い領域に灌流液が供給できる白内障手術用の手術用具を提供することにある。
【課題を解決するための手段】
【００１０】
上記課題を解決するために、本発明に係る手術用具は、眼科の手術用器具に備えられた少なくとも灌流液の吸引の機能を有する棒状部の側面を、その側面との間に隙間を有するようにして覆う筒形状の筒状部と、その筒状部における前記棒状部の先端側に形成されて、前記隙間を通じて前記棒状部の根本側から供給された灌流液を流出するための孔部と、その孔部から流出した灌流液の流出方向が前記棒状部の径方向に近づくように前記筒状部に形成された、スリットあるいは凸部からなる方向変更部と、を備えたことを特徴とする。この発明によれば、筒状部にスリットあるいは凸部からなる方向変更部を形成することにより、灌流液の流出方向を棒状部の径方向に近づけたり、孔部以外からの灌流液の流出に対して障害となり得る。これにより、広い領域に灌流液を効率的に供給した眼科の手術が実現できる。
【００１１】
また、前記方向変更部は、前記孔部の内壁面に、その孔部の開口面に沿った方向に形成されたスリットを含むとしてもよい。この発明によれば、孔部の内壁面に、その孔部の開口面に沿った方向に形成されたスリットを形成することにより、灌流液の流出方向を棒状部の径方向に近づけたり、孔部以外からの灌流液の流出に対して障害となり得る。これにより、広い領域に灌流液を効率的に供給した眼科の手術が実現できる。
【００１２】
また、前記方向変更部は、前記筒状部の内壁面に、その筒状部の周方向に沿った方向に形成されたスリットを含むとしてもよい。この発明によれば、筒状部の内壁面に、その筒状部の周方向に沿った方向にスリットを形成することにより、孔部以外への灌流液の進行の障害となり、灌流液の流出方向を棒状部の径方向に近づけることができる。これにより、広い領域に灌流液を効率的に供給した眼科の手術が実現できる。
【００１３】
また、前記方向変更部は、前記孔部の内壁面に形成された凸部を含むとしてもよい。この発明によれば、孔部の内壁面に凸部を形成することにより、灌流液の流出方向を棒状部の径方向に近づけることができる。これにより、広い領域に灌流液を効率的に供給した眼科の手術が実現できる。
【００１４】
また、前記方向変更部は、前記筒状部の外壁面に形成された凸部を含むとしてもよい。この発明によれば、筒状部の外壁面に凸部を形成することにより、灌流液の流出方向を棒状部の径方向に近づけることができる。これにより、広い領域に灌流液を効率的に供給した眼科の手術が実現できる。
【００１５】
また、前記方向変更部は、前記筒状部の内壁面に形成された凸部を含むとしてもよい。この発明によれば、筒状部の内壁面に凸部を形成することにより、孔部以外への灌流液の進行の障害となり、灌流液の流出方向を棒状部の径方向に近づけることができる。これにより、広い領域に灌流液を効率的に供給した眼科の手術が実現できる。
【図面の簡単な説明】
【００１６】
【図１】本発明の実施例１におけるスリーブの斜視図。
【図２】図１のＡ−Ａ断面図。
【図３】本発明のスリーブをハンドピースに取り付けた例を示す図。
【図４】ＵＳハンドピースに取り付けた場合の要部拡大図。
【図５】Ｉ／Ａハンドピースに取り付けた場合の要部拡大図。
【図６】本発明のスリーブの効果を示す図。
【図７】実施例２のスリーブを示す図。
【図８】実施例２のスリーブの効果を示す図。
【図９】実施例３のスリーブを示す図。
【図１０】実施例３のスリーブの効果を示す図。
【図１１】実施例４のスリーブを示す図。
【図１２】実施例４のスリーブの効果を示す図。
【図１３】実施例５のスリーブを示す図。
【図１４】実施例５のスリーブの効果を示す図。
【図１５】実施例６のスリーブを示す図。
【図１６】実施例６のスリーブの効果を示す図。
【図１７】実施例７のスリーブを示す図。
【図１８】実施例７のスリーブの効果を示す図。
【図１９】望ましい灌流液の流通経路の例を示す図。
【図２０】従来における灌流液の流通経路の例を示す図。
【発明を実施するための形態】
【００１７】
以下、本発明の実施例を図面を参照しつつ説明する。図１および図２は本発明の手術用具の１実施形態としてのスリーブ１を示す図である。
【００１８】
スリーブ１は、径が小さい小径部２と、径が大きい大径部３からなる略円筒形状を有し、その先端近傍に孔部４、５を有する。なお先端とはスリーブ１が取り付けられるハンドピースにおいて手術部位へ挿入される側を指すとする。また先端側の逆側は根元側と呼称する。小径部２はスリーブ１の円筒形状における相対的に先端側の部位であり、ハンドピースのチップを隙間を有しつつ覆う部位である。
【００１９】
大径部３はスリーブ１の円筒形状における相対的に根元側の部位であり、ハンドピースの把持部に取り付けられる部位である。孔部４はスリーブ１の先端に形成された貫通孔であり、チップの先端がここから露出される。孔部５はスリーブ１の先端近傍の側面に形成された貫通孔であり、ここを通って灌流液が手術部位へ供給される。
【００２０】
スリーブ１がハンドピースに取り付けられた状態の例が図３から図５に示されている。図３は全体の様子であり、図４はＵＳハンドピース１０に取り付けた場合、図５はＩ／Ａハンドピース１１に取り付けた場合の先端近傍の例である。
【００２１】
上述のとおりＵＳハンドピース１０は白内障手術において白濁した水晶体を超音波振動により破砕、乳化して吸引するために用いられる。Ｉ／Ａハンドピース１１は、水晶体の大部分がＵＳハンドピース１０によって乳化、吸引された後に、嚢内に残った皮質などを吸引するために用いられる。
【００２２】
ＵＳハンドピース１０は、施術者が把持する円筒状の把持部分を有し、その把持部分の先端側端部にＵＳチップ１２が取り付けられる。ＵＳチップ１２は電力が供給されて超音波振動の原理で振動する。ＵＳチップ１２は内部が軸方向に空洞となった略円筒形状を有し、その先端における開口部分が鋭利なカッタ１２０として形成された吸引孔１２１となっている。超音波振動によりカッタ１２０が振動して水晶体を破砕し、灌流液と混合して乳化する。乳化された水晶体は、灌流液などからなる廃液とともに吸引孔１２１から吸引される。
【００２３】
Ｉ／Ａハンドピース１１は、施術者が把持する円筒状の把持部分の先端側端部にＩ／Ａチップ１３が取り付けられた状態で使用される。Ｉ／Ａチップ１３は内部が空洞となった略円筒形状において先端側端部が閉鎖された頭部１３０となった形状を有する。頭部１３０の近傍の側面に吸引孔１３１が形成されている。頭部１３０は、Ｉ／Ａチップ１３が水晶体嚢内に挿入された際に先端側が嚢の内面などに接触しても傷つけないために例えば曲面状に形成されている。嚢内に残った皮質などは、灌流液などからなる廃液とともに吸引孔１３１から吸引される。
【００２４】
図４、図５のように取り付けられた状態で、スリーブ１に形成された孔部５から施術部位に灌流液が供給される。把持部分の根本側には灌流液通路１００、廃液通路１０１、電力ケーブル１０２などのケーブルやチューブが接続されている（図３は簡略化された図であり、実際は２本あるいは３本のケーブルあるいはチューブが接続されているとすればよい）。
【００２５】
灌流液通路１００は、図示されない制御装置に接続されて、その装置から施術部位へ灌流液を供給する通路である。廃液通路１０１は、図示されない制御装置に接続されて、その装置が吸引力を発生させることにより、乳化された水晶体、施術部位へ供給された灌流液などからなる廃液を施術部位から同装置へと吸引する通路である。電力ケーブル１０２は、図示されない制御装置に接続されて、その装置から上記の超音波振動の部位へ電力を供給するケーブルである。
【００２６】
図２に戻って、本発明のスリーブ１は主要な特徴として孔部５にスリット５０を有する。図２に示すとおり、スリット５０は、孔部５の内壁面に形成する。そして円筒形状の同内壁面に対して、スリット５０の切り口が周方向に沿うように、スリット５０の切込み方向が孔部５の開口面に略平となるように形成すればよい。さらにスリット５０は図示のとおり、孔部５の全内壁面のうちでスリーブ先端側の内壁面にのみ形成すればよい。スリーブ１の材質は、従来のスリーブと同様に、弾性を有するゴム、シリコン、樹脂などとすればよい。
【００２７】
以上のようなスリーブ１による効果が図６に示されている。図６はスリーブ１がＵＳハンドピース１０に装着された場合も、Ｉ／Ａハンドピース１１に装着された場合も含んでいる。図示のとおり、スリーブ１がＵＳハンドピース１０あるいはＩ／Ａハンドピース１１に装着された状態で、灌流液通路１００を通じて灌流液が供給され、スリーブ１とＵＳチップ１２あるいはＩ／Ａチップ１３の間の隙間を通じてハンドピース先端側に進み、スリーブ１の孔部５から施術部位へ放出される。
【００２８】
灌流液のうちの多くの部分は、孔部５から外部へ放出される際に、進んできた勢いにより、孔部５の内壁面、特にハンドピース先端側の内壁面に突き当たることとなる。孔部５のハンドピース先端側の内壁面には、上述のとおりスリット５０が形成されている。灌流液がスリット５０に突き当たると、スリーブ１が弾性を有する材質で形成されていることにより、スリット５０が水圧で開口する。これにより、開口したスリット５０が障害となって、開口したスリット５０に突き当たった灌流液はその進行方向が変更される。
【００２９】
図６には本発明での灌流液の進行方向の例が実線の矢印で、スリットが形成されていない従来例における灌流液の進行方向の例が破線の矢印で示されている。図６に例示するとおり、本発明ではスリット５０を形成した効果により、開口したスリット５０がスリーブ１の内側を通って孔部４の方向へ進む灌流液の障害となって、望ましくない孔部４からの灌流液の放出が抑制される。さらに、孔部５から流出する灌流液が開口したスリット５０に当たって進行方向が変更されることにより、灌流液の進行方向が従来と比較してより横方向（ハンドピース、スリーブ１、チップ１２、１３にとって径方向）に変更できる。これにより、従来のＵＳハンドピースやＩ／Ａハンドピースにおける図２０のような灌流液の進行方向の例が抑制できて、図１９のような望ましい例に近づけることができる。
【００３０】
本発明のスリーブは以上の例には限定されない。図７から図１８は別の実施形態を示す。図７のスリーブ１ａでは、小径部２の内壁面における孔部５よりも先端側の位置に、小径部２の全周方向に渡って周方向にスリット５１が形成されている。スリット５１は、図７のとおり、例えば先端側に向けて斜め方向に切り込んで形成すればよい。
【００３１】
このスリットの効果は図８に示されている。同図のとおり、灌流液が供給されるとその水圧によってスリット５１が開口し、開口したスリット５１がスリーブ１の内側を通って孔部４の方向へ進む灌流液の障害となって、望ましくない孔部４からの灌流液の放出が抑制される。これにより、灌流液の進行方向が孔部５の方へ適切に変更されるとともに、孔部５から放出される灌流液の進行方向もハンドピースの径方向により近くなる。このようにスリット５１の形成によって灌流液の進行方向が図１９に例示したような望ましい方向に変更される。
【００３２】
次に、図９のスリーブ１ｂには、上述のスリット５０とスリット５１がともに形成されている。この構成により、図１０に示されているように、図６に示された上述の効果と図８に示された上述の効果が同時に達成される。よって灌流液の進行方向を図１９に例示したような望ましい方向に効果的に変更させることが可能となる。
【００３３】
次に、図１１のスリーブ１ｃには、孔部５の内壁面に凸部５２が形成されている。図１１のとおり、凸部５２は孔部５の内壁面全体のうちでハンドピース先端側の場所に、孔部５の中心側に向かうように突出して形成すればよい。
【００３４】
こうした構成により、図１２に示すとおり、灌流液が供給されると凸部５２に当接して灌流液の進行方向が横方向（スリーブ１ｃの径方向）により近い方向へ変更される。このように凸部５２の形成によって灌流液の進行方向が図１９に例示したような望ましい方向に変更される。
【００３５】
次に、図１３のスリーブ１ｄでは、スリーブ１ｄの外壁面に凸部５３が形成されている。破線は凸部５３の外縁を示す仮想的な線である。図１３のとおり、凸部５３はスリーブ１ｄの外壁面のうちで孔部５よりも先端側に隣接する場所に、孔部５に対してひさしのように張り出す形状で形成すればよい。
【００３６】
こうした構成により、図１４に示すとおり、灌流液が供給されると凸部５３が障害となって、灌流液の進行方向が横方向（スリーブ１ｄの径方向）により近い方向へ変更される。このように凸部５３の形成によって灌流液の進行方向が図１９に例示したような望ましい方向に変更される。
【００３７】
次に、図１５のスリーブ１ｅでは、スリーブ１ｅの内壁面に凸部５４が形成されている。破線は凸部５４の外縁を示す仮想的な線である。図１５のとおり、例えば凸部５４はスリーブ１ｅの内壁面のうちで孔部５よりも先端側に、全周に渡って突出する形状で形成すればよい。凸部５４の形成は、全周のうちの一部でもよい。
【００３８】
こうした構成により、図１６に示すとおり、凸部５４が、孔部５よりもハンドピース先端側においてチップ１２（１３）とスリーブ１ｅの隙間を埋めることとなる。これにより、灌流液が供給されると凸部５４が障害となって、灌流液の孔部４方向への進行が抑制されて、灌流液の進行方向が孔部５の方へ適切に変更されるとともに、孔部５から放出される灌流液の進行方向が横方向（スリーブ１ｄの径方向）により近い方向へ変更される。このように凸部５４の形成によって灌流液の進行方向が図１９に例示したような望ましい方向に変更される。
【００３９】
次に、図１７のスリーブ１ｆには、上述の凸部５３と凸部５４がともに形成されている。この構成により、図１８に示されているように、図１４に示された上述の効果と図１６に示された上述の効果が同時に達成される。よって灌流液の進行方向を図１９に例示したような望ましい方向に効果的に変更させることが可能となる。
【００４０】
以上説明した本発明の実施形態は、特許請求の範囲に記載された趣旨を逸脱しない限りにおいて適宜変更可能である。さらに上記実施例は、上記のような図５と図７の組み合わせに限らず、任意に組み合わせて実施してよい。小径部に形成するスリットまたは凸部は、上記例に限らず灌流液の進行方向を横方向に変更できる位置に形成すればよい。
【符号の説明】
【００４１】
１、１ａ、１ｂ、１ｃ、１ｄ、１ｅ、１ｆ    スリーブ
２    小径部（筒状部）
５    孔部
１２    ＵＳチップ（棒状部）
１３    Ｉ／Ａチップ（棒状部）
５０、５１    スリット（方向変更部）
５２、５３、５４    凸部（方向変更部）
【図１】
2015033521.tif 000003
【図２】
2015033521.tif 000004
【図３】
2015033521.tif 000005
【図４】
2015033521.tif 000006
【図５】
2015033521.tif 000007
【図６】
2015033521.tif 000008
【図７】
2015033521.tif 000009
【図８】
2015033521.tif 000010
【図９】
2015033521.tif 000011
【図１０】
2015033521.tif 000012
【図１１】
2015033521.tif 000013
【図１２】
2015033521.tif 000014
【図１３】
2015033521.tif 000015
【図１４】
2015033521.tif 000016
【図１５】
2015033521.tif 000017
【図１６】
2015033521.tif 000018
【図１７】
2015033521.tif 000019
【図１８】
2015033521.tif 000020
【図１９】
2015033521.tif 000021
【図２０】
2015033521.tif 000022
【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
眼科の手術用器具に備えられた少なくとも灌流液の吸引の機能を有する棒状部の側面を、その側面との間に隙間を有するようにして覆う筒形状の筒状部と、
その筒状部における前記棒状部の先端側に形成されて、前記隙間を通じて前記棒状部の根本側から供給された灌流液を流出するための孔部と、
灌流液が突き当たることにより自身の形状が変化して灌流液の進行方向の障害となって前記孔部から流出した灌流液の流出方向が前記棒状部の径方向に近づくように前記筒状部に形成された、スリット又は凸部からなる方向変更部と、
を備えたことを特徴とする手術用具。
【請求項２】
前記方向変更部は、前記孔部の内壁面に、その孔部の開口面に沿った方向に形成されたスリットを含む請求項１に記載の手術用具。
【請求項３】
前記方向変更部は、前記筒状部の内壁面に、その筒状部の周方向に沿った方向に形成されたスリットを含む請求項１又は２に記載の手術用具。
【請求項４】
前記方向変更部は、前記孔部の内壁面に形成された凸部を含む請求項１ないし３のいずれか１項に記載の手術用具。
【手続補正２】
【補正対象書類名】明細書
【補正対象項目名】００１０
【補正方法】変更
【補正の内容】
【００１０】
上記課題を解決するために、本発明に係る手術用具は、眼科の手術用器具に備えられた少なくとも灌流液の吸引の機能を有する棒状部の側面を、その側面との間に隙間を有するようにして覆う筒形状の筒状部と、その筒状部における前記棒状部の先端側に形成されて、前記隙間を通じて前記棒状部の根本側から供給された灌流液を流出するための孔部と、灌流液が突き当たることにより自身の形状が変化して灌流液の進行方向の障害となって前記孔部から流出した灌流液の流出方向が前記棒状部の径方向に近づくように前記筒状部に形成された、スリット又は凸部からなる方向変更部と、を備えたことを特徴とする。この発明によれば、筒状部にスリットあるいは凸部からなる方向変更部を形成することにより、灌流液の流出方向を棒状部の径方向に近づけたり、孔部以外からの灌流液の流出に対して障害となり得る。これにより、広い領域に灌流液を効率的に供給した眼科の手術が実現できる。